【手続補正書】
【提出日】平成16年10月18日(2004.10.18)
【手続補正１】
【補正対象書類名】特許請求の範囲
【補正対象項目名】全文
【補正方法】変更
【補正の内容】
【特許請求の範囲】
【請求項１】
広告サービスを提供するための方法であって、
広告媒体内に提示するために、少なくとも１つの入札可能な広告を定義するステップと
、
前記少なくとも１つの入札可能な広告に応じて、参加広告主に課金できる入札金額を確
立するステップと、
前記入札金額に基づいて、前記少なくとも１つの入札可能な広告を参加広告主に関連づ
けるステップと、
前記入札可能な広告への応答を受信するステップと、
前記関連する参加広告主に前記応答を提供するステップと、
前記入札金額に基づいて、前記応答が行われた時点で前記入札可能な広告に関連する前
記参加広告主に課金するステップとを含む方法。
【請求項２】
前記広告媒体が静的媒体であり、前記少なくとも１つの入札可能な広告を定義する前記
ステップが、前記広告内に問合わせ識別子を供給するステップを含む、請求項１に記載の
広告サービスを提供する方法。
【請求項３】
前記問合わせ識別子が、サービス・プロバイダの電話番号であり、前記少なくとも１つ
の入札可能な広告を前記参加広告主に関連づける前記ステップが、前記参加広告主の電話
番号により前記サービス・プロバイダの電話番号をマッピングするステップを含む、請求
項２に記載の広告サービスを提供する方法。
【請求項４】
前記少なくとも１つの入札可能な広告が、静的媒体内に配置されている複数の入札可能
な広告掲載欄を備え、前記各入札可能な広告掲載欄が、前記サービス・プロバイダの一意
の電話番号を有する、請求項３に記載の広告サービスを提供する方法。
【請求項５】
前記複数の入札可能な広告掲載欄が異なる値を有し、前記入札可能な広告を前記参加広
告主に関連づける前記ステップが、複数の参加広告主の入札金額により、値の順序で前記
複数の広告掲載欄を関連づけるステップをさらに含む、請求項４に記載の広告サービスを
提供する方法。
【請求項６】
前記問合わせ識別子が、サービス・プロバイダのネットワーク・アドレスであり、前記
少なくとも１つの入札可能な広告を前記参加広告主に関連づける前記ステップが、前記参
加広告主に関連するネットワーク・アドレスにより前記サービス・プロバイダのネットワ
ーク・アドレスをマッピングするステップを含む、請求項２に記載の広告サービスを提供
する方法。
【請求項７】
前記少なくとも１つの入札可能な広告を定義する前記ステップが、前記入札可能な広告
に関連する前記参加広告主が指定するコンテンツを挿入するステップを含む、請求項１に
記載の広告サービスを提供する方法。
【請求項８】
前記広告媒体が対話型媒体であり、前記参加広告主が指定するコンテンツの少なくとも
一部が、前記入札可能な広告に応答を行う当事者が供給する入力により決定される、請求
項７に記載の広告サービスを提供する方法。
【請求項９】
前記少なくとも１つの入札可能な広告をある参加広告主に関連づける前記ステップが、
複数の参加広告主の間に入札加重ローテーションをさらに含み、前記各参加広告主の参加
レベルが、前記各入札金額により決定される、請求項１に記載の広告サービスを提供する
方法。
【請求項１０】
前記入札加重ローテーションが、前記複数の参加広告主の測定したローテーションに基
づいて、前記複数の広告主のうちの１人を入札可能な広告に関連づける、請求項９に記載
の広告サービスを提供する方法。
【請求項１１】
前記入札加重ローテーションが、前記複数の参加広告主のランダムなローテーションに
基づいて、前記複数の広告主のうちの１人を入札可能な広告に関連づける、請求項９に記
載の広告サービスを提供する方法。
【請求項１２】
静的媒体によるペイ・フォー・パフォーマンス広告のための方法であって、
静的媒体内に複数の入札可能な広告を発行するステップであって、前記各入札可能な広
告がその内部に問合わせ識別子を含むステップと、
参加広告主間の前記入札可能な広告に対してオークションを提供するステップであって
、前記参加広告主が、前記入札可能な広告への応答に対して支払い可能な入札金額を供給
するステップと、
少なくとも一部は前記入札金額に基づいて、参加広告主を前記入札可能な広告に関連づ
けるステップと、
広告主の口座、広告主のリスト、前記広告リストに関連する入札金額、参加広告主に対
する問合わせ経路指定情報の記録を有する参加広告主データベースを維持するステップと
、
前記問合わせ識別子を用いて、前記入札可能な広告のうちの少なくとも１つの広告に応
じて消費者から問合わせを受信するステップと、
応答が行われている前記入札可能な広告にどの参加広告主が関連しているのかを決定し
、前記参加広告主に関連する前記問合わせ経路指定情報を用いて、前記問合わせを経路指
定するステップと、
前記問合わせが経路指定された前記参加広告主の前記広告主の口座から前記入札金額を
引き落とすステップとを含む静的媒体のペイ・フォー・パフォーマンス広告のための方法
。
【請求項１３】
前記問合わせ識別子が、サービス・プロバイダの電話番号であり、前記少なくとも１つ
の入札可能な広告を前記参加広告主に関連づける前記ステップが、前記参加広告主の電話
番号により、前記サービス・プロバイダの電話番号をマッピングするステップを含む、請
求項１２に記載の広告サービスを提供する方法。
【請求項１４】
前記少なくとも１つの入札可能な広告が、静的媒体内に配置されている複数の入札可能
な広告掲載欄を備え、前記各入札可能な広告掲載欄が前記サービス・プロバイダの一意の
電話番号を有する、請求項１３に記載の広告サービスを提供する方法。
【請求項１５】
前記複数の入札可能な広告掲載欄が、異なる値を有し、前記入札可能な広告を参加広告
主に関連づける前記ステップが、複数の参加広告主の入札金額により、値の順序で前記複
数の広告掲載欄を関連づけるステップをさらに含む、請求項１４に記載の広告サービスを
提供する方法。
【請求項１６】
前記問合わせ識別子が、サービス・プロバイダのネットワーク・アドレスであり、前記
少なくとも１つの入札可能な広告を前記参加広告主に関連づける前記ステップが、前記参
加広告主に関連するネットワーク・アドレスにより、前記サービス・プロバイダの前記ネ
ットワーク・アドレスをマッピングするステップを含む、請求項１２に記載の広告サービ
スを提供する方法。
【請求項１７】
前記少なくとも１つの入札可能な広告をある参加広告主に関連づける前記ステップが、
複数の参加広告主の間に入札加重ローテーションをさらに含み、前記各参加広告主の参加
レベルが、前記各入札金額により決定される、請求項１２に記載の広告サービスを提供す
る方法。
【請求項１８】
前記入札加重ローテーションが、前記複数の参加広告主の測定したローテーションに基
づいて、前記複数の広告主のうちの１人を１つの入札可能な広告に関連づける、請求項１
７に記載の広告サービスを提供する方法。
【請求項１９】
前記入札加重ローテーションが、前記複数の参加広告主のランダムなローテーションに
基づいて、前記複数の広告主のうちの１人を１つの入札可能な広告に関連づける、請求項
１７に記載の広告サービスを提供する方法。
【請求項２０】
ペイ・フォー・パフォーマンス広告システムで広告掲載欄への応答を管理するためのコ
ンピュータ・システムであって、
少なくとも１つの広告掲載欄への応答を受信するための少なくとも１つの電話線を有す
るテレコム交換システムと、
コンピュータ・サーバとを備え、前記コンピュータ・サーバが、
広告主がアクセスすることができるコンピュータ・ネットワークに動作できるように結
合していて、前記コンピュータ・サーバが、コンピュータ可読媒体内にデータベースを維
持し、前記データベースが、その中に複数の広告主の口座リストを含み、各口座リストが
、広告掲載欄への応答に対して支払いをすることができる入札金額と、応答経路指定デー
タと、応答記録とを含み、前記コンピュータ・サーバが、前記テレコム交換システムに動
作できるように結合していて、そこからの応答を受信し、応答を行っている前記広告掲載
欄に関連する前記応答経路指定データを用いて、そこを通して前記応答を経路指定するよ
うに適合しているコンピュータ・システム。
【請求項２１】
ペイ・フォー・パフォーマンス広告システムのためのコンピュータ・サーバであって、
前記コンピュータ・サーバが、
コンピュータ可読媒体内に維持されているデータベースを備え、前記データベースが、
その中に複数の広告主口座リストを含み、各口座リストが、広告掲載欄への応答に対して
支払いをすることができる入札金額と、応答経路指定データと、応答記録とを含み、さら
に、
プロセッサを備え、前記プロセッサが、
前記少なくとも１つの入札可能な広告への応答があった場合に、参加広告主に課金でき
る入札金額を確立するように、
前記確立した入札金額に基づいて、前記少なくとも１つの入札可能な広告を参加広告主
に関連させるように、
前記入札可能な広告への応答を受信するように、
前記データベース内の前記応答経路指定データにより、前記関連する参加広告主に前記
応答を供給するように、
前記入札金額により前記応答の時点で、前記関連する参加広告主の前記応答記録を更新
するように、
プログラムされているコンピュータ・サーバ。
【請求項２２】
入札金額を確立するための前記プロセッサの動作が、複数の広告主の間で前記入札可能
な広告に対するオークションを行うステップをさらに含む、請求項２１に記載のコンピュ
ータ・サーバ。
【請求項２３】
前記少なくとも１つの入札可能な広告を１人の参加広告主に関連づけるための前記プロ
セッサの動作が、複数の参加広告主の間に入札加重ローテーションをさらに含み、前記各
参加広告主の参加レベルが、前記各入札金額により決定される、請求項２１に記載のコン
ピュータ・サーバ。
【請求項２４】
前記入札加重ローテーションが、前記複数の参加広告主の測定したローテーションに基
づいて、前記複数の広告主のうちの１人を、１つの入札可能な広告に関連づける、請求項
２３に記載のコンピュータ・サーバ。
【請求項２５】
前記入札加重ローテーションが、前記複数の参加広告主のランダムなローテーションに
基づいて、前記複数の広告主のうちの１人を１つの入札可能な広告に関連づける、請求項
２３に記載のコンピュータ・サーバ。
【請求項２６】
入札可能な広告を分配し、それに対する電話応答をルーティングするための方法であって、
関連の参加広告主を有する広告媒体内に提示するための少なくとも１つの入札可能な広告を定義するステップと、
参加広告主に課金できる入札金額を確立するステップと、
サービス・プロバイダの電話番号を前記少なくとも１つの入札可能な広告に関連づけるステップと、
参加広告主の電話番号を前記サービス・プロバイダの電話番号に関連づけるステップと、
前記サービス・プロバイダの電話番号への電話呼出しの形態で前記入札可能な広告への応答を受信するステップと、
前記サービス・プロバイダの電話番号からの応答を前記参加広告主の電話番号に転送するステップと、
前記入札金額に基づいて、前記入札可能な広告に関連する前記参加広告主に課金するステップと、
を含む方法。
【請求項２７】
広告媒体内に提示するための少なくとも１つの入札可能な広告を含みかつそれに対する顧客応答をルーティングする入札可能な広告サービスを分配するためのサービスに広告主が参加するための方法であって、
入札可能な広告を参加広告主に関連づけるための入札金額を提出するステップであって、前記入札金額は、それぞれの入札可能な広告に対応しかつ前記入札可能な広告に対する顧客応答のために参加広告主に課金できるものである、前記提出するステップと、
サービス・プロバイダから参加広告主への入札可能な広告に対する顧客応答のルーティングのために入札可能な広告に関連づけられた参加広告主のためのルーティング識別子を提供するステップと、
前記入札可能な広告に対する応答を受信するステップであって、前記顧客応答が前記サービス・プロバイダから前記参加広告主にルーティングされるものである前記応答を受信するステップと、
前記入札可能な広告に対する前記顧客応答のための課金を受信するステップであって、該課金は、前記入札可能な広告と関連づけられた入札金額に基づいている前記課金を受信するステップと、
を含む方法。
【請求項２８】
入札可能な広告を参加広告主に関連づけるための入札金額を提出する前記ステップは、入札可能な広告を参加広告主に関連づけるためのデータベースに入札金額を提出するステップを含み、該入札金額は、それぞれの入札可能な広告に対応し、かつ前記入札可能な広告に対する顧客応答のために前記参加広告主に課金できる請求項２７に記載の入札可能な広告サービスを分配するためのサービスに広告主が参加するための方法。
【請求項２９】
前記参加広告主のためのルーティング識別子を提供する前記ステップは、前記参加広告主と関連づけられた電話番号を提供するステップを含み、データベースが、前記サービス・プロバイダの電話番号から、参加広告主と関連づけられた前記電話番号へのマッピングを含む請求項２７に記載の入札可能な広告サービスを分配するためのサービスに広告主が参加するための方法。
【請求項３０】
前記入札可能な広告に対する応答を受信する前記ステップは、前記入札可能な広告に対する電話応答を受信するステップを含み、該電話応答は、前記サービス・プロバイダから前記参加広告主にルーティングされる請求項２９に記載の入札可能な広告サービスを分配するためのサービスに広告主が参加するための方法。
【請求項３１】
前記参加広告主のためのルーティング識別子を提供する前記ステップは、前記参加広告主と関連づけられたネットワーク・アドレスを提供するステップを含み、データベースが、前記サービス・プロバイダのネットワーク・アドレスから、前記参加広告主と関連づけられた前記ネットワーク・アドレスへのマッピングを含む請求項２７に記載の入札可能な広告サービスを分配するためのサービスに広告主が参加するための方法。
【請求項３２】
前記入札可能な広告に対する応答を受信する前記ステップは、前記入札可能な広告に対するネットワーク応答を受信するステップを含み、該ネットワーク応答は、前記サービス・プロバイダから前記参加広告主にルーティングされる請求項３１に記載の入札可能な広告サービスを分配するためのサービスに広告主が参加するための方法。
【請求項３３】
入札可能な広告と関連づけられた広告特有の内容を提供するステップをさらに含む請求項２７に記載の入札可能な広告サービスを分配するためのサービスに広告主が参加するための方法。
【請求項３４】
入札金額を提出する前記ステップの前に、内容記述子に対応する入札可能な広告のためにデータベースを探索するステップをさらに含む請求項２７に記載の入札可能な広告サービスを分配するためのサービスに広告主が参加するための方法。